(57)【要約】【課題】ユーザが摂取不足している栄養素を補う食品リストを提案し、食品選択の際のユーザの利便性を向上させること。【解決手段】携帯端末１００から、ユーザの摂取した栄養素の過不足量を商品提案サーバ４００に送信する。商品提案サーバ４００は、受信した栄養素の過不足情報に応じて、各種栄養素を補う商品名を格納した商品データベース４１０を参照して、ユーザが摂取すべき商品に関する情報を携帯端末１００に返信する。ここに商品提案サーバ４００は、ユーザごとの商品選定条件やユーザの嗜好条件に従って、商品を選択する。また、商品情報には、特定の店舗の商品を購入する際の特典情報（割引やポイント還元）を付加する。【選択図】図１
2007026262.tif 000002
【特許請求の範囲】
【請求項１】
ネットワークを介し商品提案サーバとユーザの携帯端末とを接続して、ユーザの食生活を改善するための商品を提案する栄養管理システムであって、
上記携帯端末からユーザの摂取した栄養素の過不足量を上記商品提案サーバに送信し、
該商品提案サーバは受信した栄養素の過不足情報に応じて、各種栄養素を補う商品名を格納した商品データベースを参照して、ユーザが摂取すべき商品に関する情報を上記携帯端末に返信することを特徴とする栄養管理システム。
【請求項２】
請求項１に記載の栄養管理システムにおいて、
前記商品提案サーバは、ユーザごとに設定された選定条件、あるいはユーザの過去の摂取商品から抽出したユーザの嗜好条件に従って、ユーザが摂取すべき商品を選択することを特徴とする栄養管理システム。
【請求項３】
請求項１または２に記載の栄養管理システムにおいて、
前記ネットワークには、特定の店舗の商品を管理する商品管理サーバを接続し、
前記商品提案サーバは、該商品管理サーバと連携して、前記ユーザが摂取すべき商品に関する情報に、上記特定の店舗の商品を購入する際の特典情報を付加して前記携帯端末に返信することを特徴とする栄養管理システム。
【請求項４】
請求項３に記載の栄養管理システムにおいて、
前記商品提案サーバの付加する特典情報には、商品価格の割引やポイント還元の情報を含むことを特徴とする栄養管理システム。
【請求項５】
請求項１に記載の栄養管理システムにおいて、
前記ネットワークには各種商品の栄養価データを格納した栄養素データサーバを接続し、
該栄養素データサーバは、前記携帯端末からの要求に応じて、指定された商品の栄養素情報を提供することを特徴とする栄養管理システム。
【請求項６】
請求項１または５に記載の栄養管理システムにおいて、
前記携帯端末は、ユーザが摂取すべき栄養素の基準値を参照し、ユーザが現在までに摂取した栄養素との差分から栄養素の過不足量を計算することを特徴とする栄養管理システム。
【請求項７】
ネットワークを介し接続された携帯端末に対し、ユーザの食生活を改善するための商品を提案する商品提案サーバであって、
上記携帯端末からユーザの摂取した栄養素の過不足量の情報を受信する受信手段と、
各種栄養素を補う商品名を格納した商品データベースと、
受信した過不足情報に応じて、該商品データベースを参照して、ユーザが摂取すべき商品に関する情報を作成する商品情報作成手段と、
作成した商品情報を上記携帯端末に送信する送信手段とを備えることを特徴とする商品提案サーバ。
【請求項８】
請求項７に記載の商品提案サーバにおいて、
前記商品情報作成手段は、ユーザごとに設定された選定条件、あるいはユーザの過去の摂取商品から抽出したユーザの嗜好条件に従って、ユーザが摂取すべき商品を選択することを特徴とする商品提案サーバ。
【請求項９】
請求項７または８に記載の商品提案サーバにおいて、
前記商品情報作成手段は、前記ユーザが摂取すべき商品に関する情報に、該商品を用いた調理例の情報を付加することを特徴とする商品提案サーバ。
【請求項１０】
請求項７または８に記載の商品提案サーバにおいて、
前記商品情報作成手段は、前記ユーザが摂取すべき商品に関する情報に、特定の店舗の商品を購入する際の特典情報を付加することを特徴とする商品提案サーバ。
【請求項１１】
請求項１０に記載の商品提案サーバにおいて、
前記商品情報作成手段の付加する特典情報には、商品価格の割引やポイント還元の情報を含むことを特徴とする商品提案サーバ。
【請求項１２】
ネットワークを介し接続された商品提案サーバからユーザの食生活を改善するための商品の提案を受ける携帯端末であって、
ユーザが摂取すべき栄養素の基準値を参照し、ユーザが現在までに摂取した栄養素との差分から栄養素の過不足量を算出する過不足栄養素算出手段と、
算出した栄養素の過不足量を上記商品提案サーバに送信する送信手段と、
送信した栄養素の過不足情報に応じて、上記商品提案サーバからユーザが摂取すべき商品に関する情報を受信する受信手段とを備えることを特徴とする携帯端末。
【請求項１３】
請求項１２に記載の携帯端末において、
ユーザが摂取する商品の商品識別ＩＤを取得する商品識別ＩＤ取得手段と、
該取得した商品識別ＩＤを栄養素データサーバへ送り、上記商品の栄養素情報を取得する栄養素情報取得手段とを備えることを特徴とする携帯端末。
【請求項１４】
請求項１３に記載の携帯端末において、
前記商品識別ＩＤ取得手段は、前記商品に貼り付けてあるＲＦ−ＩＤまたはバーコードを読み取り、該商品の商品識別ＩＤを取得することを特徴とする携帯端末。
【発明の詳細な説明】
【技術分野】
【０００１】
本発明は、ネットワークを介して食生活改善を提案する栄養管理システムとこれに用いる商品提案サーバ及び携帯端末に関する。
【背景技術】
【０００２】
従来、食生活に関わる健康管理サービスを行うシステムが各種提案されている。例えば特許文献１には、食事療法等を必要とする携帯者は、バーコード読み取り手段等を組み込んだ携帯端末機により、摂取する飲食物の摂取エネルギーを読み取って、ネットワークを介し管理装置に送信し、管理装置は送られたエネルギー情報に基づいて、携帯者の食事療法に必要な健康管理情報を返送して、携帯者の携帯端末機に表示する健康管理支援システムが開示されている。
【０００３】
また特許文献２には、利用者は携帯端末により日常の生活行動のイベント（運動、食事）ごとにその種別と内容を含む行動データ（消費カロリー量、摂取カロリー量）を作成し、ネットワークを介して管理装置に伝送し、管理装置は伝送された行動データをもとに利用者の健康管理データを作成して、利用者の携帯端末へ送信する健康管理方法が開示されている。
【０００４】
【特許文献１】特開２０００−３２２４０４号公報
【特許文献２】特開２００４−２４０８６２号公報
【発明の開示】
【発明が解決しようとする課題】
【０００５】
上記特許文献１や特許文献２に記載の健康管理支援システムや健康管理方法では、ユーザが摂取した栄養素量やカロリー量を管理し、摂取すべき栄養素量やカロリー量を知らせてくれる。しかしながらユーザは、不足している栄養を補うには、どのような食品をどれだけ摂取すればよいかが不明であり、別の手段で調べなければならず不便である。さらには、どの店舗で購入できるか、また購入時に何らかの特典があるか、などの情報も同時に欲しいところである。
【０００６】
本発明の目的は、不足している栄養素を補う食品（商品）リストを自動的に提案し、食品選択の際のユーザの利便性を向上させることにある。さらに、食品リスト内の商品について、購入できる店舗や購入時の特典情報を付加して、ユーザの利便性を向上させることにある。
【課題を解決するための手段】
【０００７】
本発明は、ネットワークを介し商品提案サーバとユーザの携帯端末とを接続して、ユーザの食生活を改善するための商品を提案する栄養管理システムであって、携帯端末からユーザの摂取した栄養素の過不足量を商品提案サーバに送信し、商品提案サーバは受信した栄養素の過不足情報に応じて、各種栄養素を補う商品名を格納した商品データベースを参照して、ユーザが摂取すべき商品に関する情報を携帯端末に返信する構成である。
【０００８】
ここに商品提案サーバは、ユーザごとに設定された選定条件、あるいはユーザの過去の摂取商品から抽出したユーザの嗜好条件に従って、ユーザが摂取すべき商品を選択する。
【０００９】
また商品提案サーバは、特定の店舗の商品を管理する商品管理サーバと連携して、ユーザが摂取すべき商品に関する情報に、特定の店舗の商品を購入する際の特典情報を付加して携帯端末に返信する。この特典情報には、商品価格の割引やポイント還元の情報を含む。
【００１０】
また本発明は、ネットワークを介し接続された携帯端末に対しユーザの食生活を改善するための商品を提案する商品提案サーバであって、携帯端末からユーザの摂取した栄養素の過不足量の情報を受信する受信手段と、各種栄養素を補う商品名を格納した商品データベースと、受信した過不足情報に応じて、商品データベースを参照してユーザが摂取すべき商品に関する情報を作成する商品情報作成手段と、作成した商品情報を携帯端末に送信する送信手段とを備える。
【００１１】
また本発明は、ネットワークを介し接続された商品提案サーバからユーザの食生活を改善するための商品の提案を受ける携帯端末であって、ユーザが摂取すべき栄養素の基準値を参照し、ユーザが現在までに摂取した栄養素との差分から栄養素の過不足量を算出する過不足栄養素算出手段と、算出した栄養素の過不足量を商品提案サーバに送信する送信手段と、送信した栄養素の過不足情報に応じて、商品提案サーバからユーザが摂取すべき商品に関する情報を受信する受信手段とを備える。
【発明の効果】
【００１２】
本発明によれば、食品選択の際のユーザの利便性を向上させる。また特典情報の付加により、ユーザの購入意欲を高め、店舗側の販売量を促進させる効果がある。
【発明を実施するための最良の形態】
【００１３】
以下、本発明の実施の形態について図面を用いて説明する。
【実施例１】
【００１４】
図１は、本発明による栄養管理システムの一実施例を示す全体構成図である。本実施例のシステムは、食生活改善提案サーバ（商品提案サーバ）４００と栄養素データサーバ３００と携帯端末１００とをネットワーク（図示せず）を介して接続し、互いに通信可能としている。
【００１５】
ユーザが携帯する携帯端末１００は、購入しようとしている商品２００を識別し、商品２００の栄養素に関する情報を取得して画面に表示する。また、食生活改善提案サーバ４００から提供される不足している栄養素、提案された商品リスト（食品名）を表示する。また、ユーザが摂取した栄養素の計算と管理を行う。
【００１６】
商品２００は、栄養素を摂取できる食品（飲食物）である。この商品２００には食品名等を識別する商品識別ＩＤが付与されており、ＲＦ−ＩＤ、バーコードなどの表示素子に商品識別ＩＤが記述されている。
【００１７】
栄養素データサーバ３００は、各種商品の商品識別ＩＤおよび商品ごとの栄養価データを格納した栄養素データベース３１０を保持し、携帯端末１００からの要求に応じて、データベース３１０から指定された商品の栄養価データの検索を行う。
【００１８】
食生活改善提案（商品提案）サーバ４００は、各種栄養素に対しそれを摂取できる商品（食品）およびのその商品識別ＩＤを格納した商品データベース４１０を保持し、携帯端末１００からの要求に応じて、データベース４１０を検索し、ユーザの不足する栄養素を補う食生活改善案（商品リスト）を作成する。
【００１９】
図３は、図１のシステムで用いる携帯端末１００の一例を示す構成図である。ＣＰＵ１０１は、表示、商品識別ＩＤの取得処理、通信処理等の制御や不足栄養素の算出といった各種プログラムの実行を行う。ＲＯＭ１０２は、ＣＰＵ１０１が実行する各種プログラムやデータを記憶し、ＲＡＭ１０３は、ＣＰＵ１０１が実行する各種プログラムをＲＯＭ１０２からロードして実行し、データを記憶するのに使用する。入出力装置１０４は、商品に含まれている栄養素や、不足栄養素、摂取すべき商品等の表示や、表示の変更、メニューの操作といった入出力を管理する。通信装置１０５は、栄養素データサーバ３００に商品識別ＩＤを送信し、該当する商品の栄養素情報を取得し、食生活改善提案サーバ４００に不足した栄養素の種類およびその量を送信し、これを満たす商品を問い合わせるのに使用する。例えば、無線ＬＡＮ（Ｌｏｃａｌ  Ａｒｅａ  Ｎｅｔｗｏｒｋ）や、Ｂｌｕｅｔｏｏｔｈ、ＥＶ−ＤＯ（Ｅｖｏｌｕｔｉｏｎ  Ｄａｔａ  Ｏｎｌｙ）である。商品ＩＤ読み取り装置１０６は、商品に貼付けられているＲＦＩＤタグやバーコードを読み取り、商品を一意に識別する商品識別ＩＤ、もしくは商品に含まれる栄養素を取得する。もちろん、ＲＦ−ＩＤとバーコードの両方に対応する装置でもよい。
【００２０】
次に図１の栄養管理システムの動作を説明する。ユーザは、ある商品２００の購入（すなわち栄養摂取）を検討する。そして商品２００に携帯端末１００をかざして、商品２００から商品識別ＩＤを読み取る（Ｓ１１）。商品識別ＩＤは、バーコードのデータや、ＲＦ−ＩＤのチップの中等に埋め込まれており、携帯端末１００はこれらに対応する読取手段で商品識別ＩＤを読み取る。
【００２１】
読み取った商品識別ＩＤを栄養素データサーバ３００へ送信し、その商品に関する栄養素情報について問い合わせを行う（Ｓ１２）。携帯端末１００からの問い合わせに応じて、栄養素データサーバ３００は、後述する処理（栄養素情報取得処理６００）で、保持する栄養素データベース３１０の中から、指定された商品識別ＩＤと一致する商品を検索し、それに対応する栄養価データを携帯端末１００に送り返す（Ｓ１３）。携帯端末１００は栄養価データを受信するとそれを表示し、ユーザはその商品２００を購入するかどうかを判断する。購入すると判断した場合は、携帯端末１００の商品購入履歴に登録する。
【００２２】
一方ユーザは、携帯端末１００を用いて、今までの商品購入履歴を基に過不足している栄養素を後述する処理（過不足栄養素算出処理７００）で算出する（Ｓ１４）。過不足している栄養素を算出すると、食生活改善提案サーバ４００へ、過不足している栄養素の種類およびその量を検索キーとして送信する（Ｓ１５）。食生活改善提案サーバ４００は、保持する商品データベース４１０の中から、携帯端末１００から指定された栄養素の条件を満たす商品を検索し、その結果を商品情報（商品リスト）として提供する（Ｓ１６）。携帯端末１００はこれを受信し、不足している栄養素を補うためのメニュー改善案を作成し、それを表示する。
【００２３】
このように本実施例のシステムによれば、ユーザは不足している栄養素を知るだけでなく、それを補う商品（食品）情報を取得することができる。
【００２４】
なお、本実施例では、過不足している栄養素を算出する処理（過不足栄養素算出処理７００）は、携帯端末１００にて行うものとしたが、ユーザの摂取栄養素のデータを食生活改善提案サーバ４００へ送り、食生活改善提案サーバ４００にて算出処理を行うこともできる。
【００２５】
図４は、本実施例において、携帯端末１００と栄養素データサーバ３００の間で、商品の栄養素情報を取得する栄養素情報取得処理６００のフローチャートを示す図である。
【００２６】
栄養素情報取得処理６００は、携帯端末１００を商品にかざし、商品識別ＩＤを取得すると起動する。取得した商品識別ＩＤを含む栄養素情報取得要求メッセージを栄養素データサーバ３００へ送信する（Ｓ６１１）。栄養素データサーバ３００は、栄養素情報取得要求メッセージを取得するまで待ちの状態になっている（Ｓ６２１）。栄養素情報取得要求メッセージを取得すると、メッセージ内の商品識別ＩＤを取得し、そのＩＤに対応する栄養素情報を栄養素データベース３１０から取得する（Ｓ６２２）。そして、取得できた栄養素情報を応答メッセージとして携帯端末１００へ送り返す（Ｓ６２３）。携帯端末１００は、栄養素データサーバ３００からの応答メッセージを受信する（Ｓ６１２）。以上の手続きにより、栄養素情報取得処理６００が完了する。
【００２７】
図５は、本実施例において、携帯端末１００内で、過不足している栄養素を算出する過不足栄養素算出処理７００のフローチャートを示す図である。また図６は、この算出処理に用いる食生活改善基準データ７５０の一例である。
【００２８】
過不足栄養素算出処理７００は、前記の栄養素情報取得処理６００が完了した直後や、ユーザの操作により起動する。携帯端末１００内に保持された今までに摂取した栄養素情報（商品購入履歴）を取得し（Ｓ７１１）、現在時刻を取得する（Ｓ７１２）。取得した現在時刻と、ＲＯＭもしくはＲＡＭ内に保存された食生活改善基準データ（理想的な栄養素摂取値）７５０を用いて、現時点での目標摂取量を計算する（Ｓ７１３）。
【００２９】
例えば、コエンザイムＱ１０という栄養素が１日６０ｍｇ摂取した方がよいと判断する食生活改善プログラムであれば、図６のような食生活改善基準データ７５０が保存されている。食生活改善基準データ７５０は、栄養素種別、判定方法、理想摂取量、摂取量の下限値および上限値から構成され、様々な栄養素を管理する場合には、複数のデータを追加することで可能になる。図６の場合、コエンザイムＱ１０の理想的な摂取量は、判定方法が「１日あたり」であるため６０ｍｇ／日となり、下限摂取量は５５ｍｇ、上限摂取量は６５ｍｇを目標摂取量として返すことになる。なお、データなしを表す「Ｎ／Ａ」が格納されている場合は、上限摂取量もしくは下限摂取量に制限がないことを表す。
【００３０】
次に、Ｓ７１１で取得した今まで摂取した栄養素データと、Ｓ７１３で算出した目標摂取量との差を取り、今まで摂取した栄養素データが目標摂取量の下限値より下回った場合は栄養素不足と、目標摂取量の上限値を上回った場合は栄養素過剰と判断して、過不足栄養素の種別および過不足量を算出する（Ｓ７１４）。
【００３１】
算出結果より栄養素の過不足を判定し（Ｓ７１５）、過不足している栄養素があれば、入出力装置１０４により、ユーザに過不足している栄養素を通知する（Ｓ７１６）。そして、不足している栄養素を補える商品を検索したり、過剰摂取の場合は取り替えた方がよい商品を検索するための後述する処理（該当商品情報取得処理８００）を実行する（Ｓ７１７）。Ｓ７１５で、過不足している栄養素がなければ、過不足栄養素がないことを通知する（Ｓ８１８）。以上の手続きにより、過不足栄養素算出処理７００が完了する。
【００３２】
図７は、携帯端末１００と食生活改善提案サーバ４００の間で、過不足する栄養素を補う商品情報を取得する該当商品情報取得処理８００のフローチャートを示す図である。また図８は、その際の（ａ）要求メッセージと（ｂ）応答メッセージの一例を示す。
【００３３】
該当商品情報取得処理８００は、前記過不足栄養素算出処理７００において過不足栄養素があった場合やユーザからの操作により起動される。携帯端末１００から食生活改善提案サーバ４００へ、該当商品要求メッセージ９００を送信する（Ｓ８１１）。該当商品要求メッセージ９００は、図８（ａ）のように、メッセージの種別を識別するためのメッセージ識別部と、不足している栄養素の栄養素種別および不足量のデータ列から構成されている不足栄養素データ部９０１と、過剰に摂取した栄養素の栄養素種別および過剰量のデータ列から構成されている過剰栄養素データ部９０２とからなる。なお各データ部は、一方が不要であれば不要なデータ部を削除してもよい。
【００３４】
食生活改善提案サーバ４００は、該当商品要求メッセージ９００を取得すると（Ｓ８２１）、メッセージを解析し、不足している栄養素の情報と過剰に摂取している栄養素の情報とを取得する（Ｓ８２２）。不足している栄養素については、商品データベース４１０を参照し、少なくとも１つの栄養素が補える商品（不足量に対する摂取できる割合が０でない商品）の候補とその摂取量を取得する。また、過剰に摂取している栄養素については、対象となる商品とその摂取量（または削減量）を取得する。あるいは、代替となる商品候補を取得する（Ｓ８２３）。
【００３５】
そして、ユーザごとに予め設定された選定条件（値段、量など）に従って、Ｓ８２３で取得した商品候補をフィルタリングして商品リストを作成する。その際、ユーザの過去の摂取商品からその嗜好を抽出し、ユーザの好きな商品を優先的に選択するようなフィルタリングを行うのも有効である（Ｓ８２４）。さらに、付加サービス情報があれば、これを作成する。付加サービス情報とは、例えばその商品を用いた調理例といったレシピ情報である（Ｓ８２５）。
【００３６】
Ｓ８２４で作成した商品リストおよびＳ８２５で作成した付加サービス情報を組み合わせた商品情報を、応答メッセージ９１０として携帯端末１００へ送り返す（Ｓ８２６）。図８（ｂ）は応答メッセージ９１０の一例であり、摂取すべき商品名、商品識別ＩＤおよび摂取量から構成される摂取商品一覧データ部９１１と、レシピ情報などの付加サービス情報９１２を記載している。
【００３７】
携帯端末１００は、食生活改善提案サーバ４００からの応答メッセージを受信すると（Ｓ８１２）、商品リストや付加サービス情報を取得し、入出力装置１０４を介しユーザに通知する（Ｓ８１３）。以上の手続きにより、該当商品情報取得処理８００が完了する。
【００３８】
以上のように、本実施例による携帯端末、栄養素データサーバ、食生活改善提案（商品提案）サーバからなる栄養素管理システムによれば、携帯端末１００は不足栄養素を算出して不足栄養素情報を食生活改善提案サーバ４００に送信し、食生活改善提案サーバ４００は不足している栄養素を補える商品のリストを携帯端末１００に提供する構成である。よって、ユーザは、摂取した栄養素だけでなく、過不足している栄養素をどのように摂取・削減すればよいかを自動的にアドバイスしてもらえるため、より容易に栄養管理が行えるという効果がある。
【実施例２】
【００３９】
図２は、本発明による栄養管理システムの他の実施例を示す全体構成図である。本実施例では、食生活改善提案サーバ４００は、特定の店舗の商品２００を管理する商品管理サーバ５００と連携して、ユーザに対して付加サービス情報を提供する構成である。
【００４０】
工程Ｓ２１からＳ２４までの動作は、前記実施例１（図１）の工程Ｓ１１からＳ１４までの動作と同様である。食生活改善提案サーバ４００は、携帯端末１００から栄養素の過不足量の通知を受けると（Ｓ２５）、ユーザの要求条件を商品管理サーバ５００に通知する（Ｓ２６）。商品管理サーバ５００は、要求を満たす商品リストを作成するだけでなく、特定商品についての特典情報を付加する。例えば、現在ユーザがいる店舗内、もしくは連携しているグループ店で購入できる商品リストを作成し、現在実施している価格割引クーポンやポイント還元といった販売促進のための付加サービス情報を付加して、食生活改善提案サーバ４００に返す（Ｓ２７）。食生活改善提案サーバ４００は、商品リストをこの付加情報と共にユーザの携帯端末１００に返す（Ｓ２８）。
【００４１】
なおこの付加サービス情報の処理は、前記図７の該当商品取得処理８００の工程Ｓ８２５において、商品管理サーバ５００と連携して行う。
【００４２】
本実施例によれば、ユーザは付加サービス情報を取得することにより、提案された商品を購入することにより、通常よりも安く購入し、またポイントがたまるというメリットがある。一方提案した商品を販売する店舗にとっても、ユーザの購買意欲を高めることにより、販売量の促進を図ることができる。
【図面の簡単な説明】
【００４３】
【図１】本発明による栄養管理システムの一実施例を示す全体構成図。
【図２】本発明による栄養管理システムの他の実施例を示す全体構成図。
【図３】本実施例における携帯端末１００の一例を示す構成図。
【図４】商品の栄養素情報を取得するフローチャートを示す図。
【図５】過不足している栄養素を算出するフローチャートを示す図。
【図６】図５における食生活改善基準データの一例を示す図。
【図７】過不足する栄養素を補う商品情報を取得するフローチャートを示す図。
【図８】図７における要求メッセージと応答メッセージの一例を示す図。
【符号の説明】
【００４４】
１００…携帯端末、１０１…ＣＰＵ、１０２…ＲＯＭ、１０３…ＲＡＭ、１０４…入出力装置、１０５…通信装置、１０６…商品ＩＤ読み取り装置、２００…商品、３００…栄養素データサーバ、３１０…栄養素データベース、４００…食生活改善提案サーバ、４１０…商品データベース、５００…商品管理サーバ、６００…栄養素情報取得処理、７００…過不足栄養素算出処理、７５０…食生活改善基準データ、８００…該当商品情報取得処理。
【図１】
2007026262.tif 000003
【図２】
2007026262.tif 000004
【図３】
2007026262.tif 000005
【図４】
2007026262.tif 000006
【図５】
2007026262.tif 000007
【図６】
2007026262.tif 000008
【図７】
2007026262.tif 000009
【図８】
2007026262.tif 000010